(57)【要約】【課題】従来の紙等を挟むクリップにおいては、挟持力が強くて、嵩張らず、挟着用具が不要で、挟着操作がワンタッチという条件を全て満足したものが無い。また、挟持板に反転可能な弾性膨出部を設けて、挟持口の開閉がワンタッチ操作で行える特許文献が種々あるが、これらは、所望の高さを有した膨出部の反転が不可能であるため、強い挟持力と、挟持口の充分な開口寸法が得られないという課題を抱えている。本発明は、この課題を解決することによって、上記条件を満足したクリップを提供するものである。【解決手段】膨出部を備えた従来技術のクリップの挟持板に、互いに突き当たるように突出した突起部を設けることにより、膨出部の反転操作時に、反転に必要な膨出部の撓み代となる間隙を生成すると共に、挟持板の一部分が梃子の働きをする支点となり、力の方向転換が効率よく図れて、所望の高さを有した膨出部であっても反転が可能となる。【選択図】図１
2008074081.tif 000002
【特許請求の範囲】
【請求項１】
縁辺の一部分が固定されて、この固定された縁辺の対向縁辺である自由端が挟持口をなす挟持板に、凸状又は凹状に反転可能な弾性膨出部を設け、前記膨出部が凸状の時に前記挟持口は挟閉状態をなし、前記膨出部が凹状の時に前記挟持口は拡開状態をなし、前記挟持口の開閉が前記膨出部の反転操作で行えるクリップにおいて、前記膨出部に比して小曲面をなし、内向きに突出した突起部を前記挟持板又は前記膨出部に設けたことを特徴とするクリップ。
【請求項２】
前記挟持板の固定された縁辺が、連結部に並設されて、二枚の対面する前記挟持板を有する請求項１に記載のクリップ。
【請求項３】
前記連結部は、中央部が徐々に太くなった円筒を縦切断した形状であることを特徴とする請求項２に記載のクリップ。
【請求項４】
前記突起部は、前記膨出部の凸状から凹状への反転操作時に、前記膨出部の押圧による撓み代となる間隙を形成するように突き当たり、且つ、前記膨出部の凹状から凸状への反転操作時に、前記自由端の押圧代となる間隙を形成するように突き当たると同時に、前記挟持板の一部分が、梃子の作用をなす支点となるように突き当たる大きさ、及び方向、及び位置に配設したことを特徴とする請求項１〜３の何れか一項に記載のクリップ。
【請求項５】
前記突起部は、前記挟持板の中央部と前記自由端との略中間の位置に設けたことを特徴とする請求項１〜４の何れか一項に記載のクリップ。
【請求項６】
前記挟持板は全体が略球面状で、頂上付近を前記膨出部としたことを特徴とする請求項１〜５の何れか一項に記載のクリップ。
【請求項７】
前記挟持板に、前記自由端の中央と前記固定部の中央を結ぶ線を挟んで二つの円形又は長円形の切除部を設け、この間をブリッジ状の前記膨出部としたことを特徴とする請求項１〜６の何れか一項に記載のクリップ。
【請求項８】
前記挟持板の前記自由端をなす縁辺の両端に、角を設けたことを特徴とする請求項１〜７の何れか一項に記載のクリップ。
【発明の詳細な説明】
【技術分野】
【０００１】  本発明は、紙等を挟んで束ねるクリップに関するものである。
【背景技術】
【０００２】  従来、紙等を挟んで束ねるクリップについては多種のものがあり、挟持力の強いものは嵩張る、例として、目玉クリップ、ダブルクリップ等があり、嵩張らないものは挟持力が弱い、例として、ゼムクリップ等がある。挟持力が強くて嵩張らないものとして、専用の用具で挟着するようにしたものがある。挟着用具が不要なものとして、例えば、内部に比較的薄手の弾性板材を備えて内部外部がスライドするようにしたもの、弾性圧接した挟持板の間に紙等を差し込むようにしたもの、回転させて紙等を押し込むようにしたもの等があるが、これらはいずれも挟持力は強いが、ワンタッチ操作で挟着ができない。【０００３】  また、クリップの挟持板に凹状又は凸状に反転可能な弾性膨出部を設けて、この膨出部を反転させることによって、挟持板の開閉を、ワンタッチ操作で行えるようにした特許文献が種々ある。例えば、
【特許文献１】  特開昭５４−０６００２４号公報
【特許文献２】  実開昭５８−１８７４６７号公報
【特許文献３】  実開昭６０−１０１１８２号公報
【特許文献４】  実開昭６２−１４７５７７号公報
【特許文献５】  実開平０６−０６７０７０号公報
【特許文献６】  特開平０７−２４６７９３号公報
【特許文献７】  特開平１１−３４８４７９号公報
【特許文献８】  特開２０００−１８５４９１号公報である。【０００４】  上記文献に類似した従来文献は他にもあるが、いずれも概ね次のような構成である。図６は従来文献に共通する概念の斜視図で、二枚の挟持板の一辺が連結部に並設されて、この対辺が自由端をなす挟持板に、球面状又はカマボコ状又はブリッジ状をなし、凸状又は凹状に反転可能な弾性膨出部を設けた構成で、膨出部が凸状の時は挟持口は挟閉した状態になり、膨出部が凹状の時は挟持口は拡開した状態になる機能を有し、挟持口の開閉が膨出部の反転というワンタッチ操作で行える作用を為す。尚、上記の凸状、凹状は、内外表示のない時、一対の挟持板の外部から見た形状を表現している。以下同様の表現とする。【０００５】  そして、従来文献は、挟持口が挟閉した状態から拡開しようとする時は、つまり、凸状にある膨出部を反転させて凹状にすればよいから、凸状にある膨出部の頂上を外側から内向きに押圧すればよい、これは簡単で容易なことである。然し逆に、挟持口が拡開した状態から挟閉しようとする時は、つまり、凹状にある膨出部を反転させて凸状にしなければならないが、これは簡単なことではない。即ち、凹状にある膨出部の頂上を内側から外向きに、直接押圧することは単純にはできないのである。【０００６】  従って、従来文献は、挟持口が挟閉した状態から拡開しようとする時の操作はいずれも同じで、凸状の膨出部を押圧するようになっているが、挟持口が拡開した状態から挟閉しようとする時の操作は、次に列挙するように様々である。即ち、
（イ）開いた自由端部を閉じる方向へ押えるようにしたもの。
（ロ）開いたクリップ全体を折り曲げるが如く力を加えるようにしたもの。
（ハ）凹状にある膨出部の両サイドを押圧するようにしたもの。
（ニ）膨出部が備わっていない方の挟持板の中央部を押圧するようにしたもの。
（ホ）膨出部に自己復元力を持たせ押圧力を解放すると凸状態となるようにしたもの。
となっており、殆んどの従来文献が、この（イ）〜（ホ）の五種類の操作に分類できる。
【発明の開示】
【発明が解決しようとする課題】
【０００７】  このように夫々の文献で様々な構成になっていることから、この種のクリップ、即ち、膨出部を設けたクリップにおいては、挟持口が開いた状態から閉じた状態にする操作、つまり、凹状の膨出部を反転させて凸状にする操作の困難さが窺える。個別の文献では解り難いが、類似文献を集めて総合的に内容を分析するとよく解る。【０００８】  図７は図６におけるＢ−Ｂ線断面図で、膨出部は凸状をなしており挟持口は挟閉した状態を示している。この時の自由端の位置を４ａで示してあり、もし仮に、他方の挟持板が無かったならば、このようになるであろう自由端の位置を４ｂで示してある。また、膨出部が凹状をなして挟持口が拡開した時の自由端の位置を４ｃで示してある。従って、４ａから４ｂまでの距離が挟持力に相応する自由端の押え代Ｅであり、４ａから４ｃまでの距離が開口寸法Ｄであり、４ｂから４ｃまでの距離が、反転による自由端のストロークＦである。この自由端のストロークＦは膨出部の高さＣに応じて大きくなる。膨出部の高さＣは、膨出部の頂上から底面への垂線の長さである。【０００９】  そして、図７に示すように、挟持力は自由端の押え代Ｅに相応するから、挟持力（Ｅ）と開口寸法Ｄの合計は、反転による自由端のストロークＦに相当する。このストロークＦは膨出部の高さＣに相応するから、強い挟持力と充分な開口寸法を得るためには、膨出部の高さＣを、これらを得ることができる必要な高さにしなければならない（以下、この高さを「必要な高さ」と表現する）。然し、膨出部の高さを高くすれば、凹状から凸状への反転が更に困難となるから、上記文献では膨出部の高さを「必要な高さ」にすることができないのであろう。実際に、上記夫々の文献の構成通りに試作品を製作して試用してみたが、いずれにおいても強い挟持力（図７におけるＥに相応）と、充分な開口寸法（図７におけるＤ）を得ることができなかった。【００１０】  尚、本明細書における「強い挟持力」と「充分な開口寸法」について、具体的に定義しておく。「強い挟持力」とはダブルクリップと同程度の強さで、コピー用紙１枚から４０枚程を変化のない強さで挟持できるものとする。「充分な開口寸法」とは６ｍｍ以上とする。コピー用紙４０枚の厚さが略３．８ｍｍで、これが難なく挿入できる寸法とした。開口寸法はクリップ自体の大きさ、特に自由端部から連結部までの寸法と関係があるので、これも定義しておく。自由端部から連結部までの寸法は略１８ｍｍとした。これは書類等を挟持した時、周縁の余白部を超えない寸法とした。但し、上記数値は解説をより具体的にするためのもので、以下に記載する数値及び図面も同様、本発明の技術的範囲を限定するものではない。【００１１】  また、前記夫々の文献の構成通りに、試作品を製作して試用して判明したことを、前記（イ）〜（ホ）の操作別に、次に述べる。【００１２】  前記（イ）については、膨出部の変形癖を凸状寄りに設定しておけば、押え巾が少なくても反転は可能であるが、図８に示すように、被挟持物Ｐの厚みＦが有ると厳しくなる。また、上記変形癖は膨出部の高さを「必要な高さ」にまで高めると効果がなくなる傾向にある。【００１３】  前記（ロ）については、挟持力を強めるために、膨出���が無い方の挟持板の剛性を高める策を施せない、挟んだ紙等に皺が生じ易い等の欠点があり、開時、閉時で手の勝手が変り、表裏を持ち変えるか、又は両手を使わなければならない等の操作性に問題がある。【００１４】  前記（ハ）については、この（イ）〜（ホ）の中で最も膨出部の高さを「必要な高さ」に近づけることができるが、上記（ロ）と同様、操作性に問題が残る。【００１５】  前記（ニ）については、上記（ロ）（ハ）と類似しているが、これらよりも控えめな操作であるから、これら以上の膨出部の高さは望めない。【００１６】  前記（ホ）については、膨出部の変形癖が、上記（イ）の場合より更に極端で、凸状に偏った所に設定されており、反転デッドポイントは存在するが外圧が無ければ凹状に維持できない構成であるから、膨出部の高さは（イ）より低い。また、押圧している間、内方に凸状の膨出部の頂点が他方に当接しているため、紙等を奥まで挿入し難い欠点がある。【００１７】  以上から明らかなように、従来技術においては、膨出部の凹状から凸状への反転が極めて困難であり、まして「必要な高さ」を有する膨出部を、凹状から凸状へ反転させることは、上記（イ）〜（ホ）の操作では不可能であると断言できる。だから、強い挟持力と充分な開口寸法が得られないのである。また、充分なストロークを獲得するためには、膨出部を両方の挟持板に設けた方が、はるかに有利であると考えられるが、従来文献の殆んどが、膨出部は片方のみとしているのは、両方に設けると、両方とも反転させるのが不可能となるから、余儀なく片方のみとしているのであろう。【００１８】  つまり、このような膨出部を設けたクリップの従来技術が抱える課題は、次の三つである。即ち、膨出部の凹状から凸状への反転が困難なこと、「必要な高さ」を有する膨出部の凹状から凸状への反転が不可能なこと、両方の挟持板に設けた膨出部を両方共反転させるのが不可能なこと、である。本発明は、これらの課題を解決することによって、強い挟持力と、充分な開口寸法とを有して、嵩張らず、ワンタッチ操作で開閉できるクリップの実現という目的を達成しようとするものである。
【課題を解決するための手段】
【００１９】  二枚の対面する挟持板の一辺が連結部に並設され、この対辺が自由端をなす挟持板に、凸状又は凹状に反転可能な弾性膨出部を設け、膨出部が凸状の時に自由端は挟閉状態を成し、膨出部が凹状の時に自由端は拡開状態を成し、自由端の開閉が、膨出部の反転操作で行える機能を有した従来技術のクリップにおいて、本発明は下記に示す突起部を、挟持板又は膨出部に設けることによって、膨出部の凹状から凸状への反転が簡単で容易に行え、しかも、「必要な高さ」を有する膨出部であっても確実に反転させることができ、両方の挟持板に膨出部が有っても、難なく両方とも反転させることができるようにした。【００２０】  この突起部について次に述べる。この突起部は膨出部に比して小曲面を成し、内向きに突出し、挟持板の一部を永久変形で形成し、挟持板の中央部と自由端の略中間に設けている。更に、膨出部の反転操作をする時、この頂点が互いに突き当る（但し、紙等が有る時は紙等を介して突き当る、以下この但書は省略する）大きさ、及び方向、及び位置に配設している。【００２１】  上記の構成とすることにより、この突起部は下記の機能を得ることができ、下記の作用を為すことができる。即ち、この突起部は、膨出部を凸状から凹状に反転させる時は、膨出部の押圧による撓み代となる間隙を形成する機能と、膨出部を凹状から凸状に反転させる時は、自由端の押圧代となる間隙を形成する機能と、同時に、自由端の押圧力が逆方向になる梃子の働きを為すような回動支点としての機能と、を得ることができる。【００２２】  上記の課題解決手段による作用は次の通りである。即ち、
挟閉している自由端を拡開させる時は、両方の凸状の膨出部の頂上を挟むように押圧すると片方が先に反転し、反転した方は凹状で他方は凸状になる。押圧時、膨出部は撓みが生じその後反転に至るから、反転させるためには撓み代となる間隙が必要である。片方が反転しても、突起部が有るためこの頂点が互いに突き当たるから、中央部付近に反転に必要な撓み代となる間隙を形成することができて、押圧続行可能となり、残りの未反転の膨出部をも反転させることができる。【００２３】  一方、拡開している自由端を挟閉させる時は、両方の自由端を挟むように押圧する。この時、突起部の頂点が互いに突き当たって、反転に必要な押圧代となる間隙が自由端同士間に形成されるから、押圧続行可能となる。と同時に、自由端から膨出部の中央部までの間が、突起部を支点とした梃子の作用をなすから、両方の自由端を挟むような内向きの押圧力を、効率よく外向きに方向転換させることができ、凹状の膨出部の頂上に、内側から外向きに直接押えるような力を強制的に与えることができるため、「必要な高さ」を有する膨出部であっても、凹状から凸状に反転させることができる。そして、片方が反転しても突起部の頂点が互いに突き当たっているから、依然として、自由端同士間に間隙が形成されているため、押圧続行可能となり、上述同様、梃子の作用により、残りの未反転の膨出部をも反転させることができる。
【発明の効果】
【００２４】  以上の作用により、従来技術が、困難としていた凹状から凸状への膨出部の反転が容易となり、不可能としていた「必要な高さ」を有する膨出部の反転と、両方の挟持板に配設された膨出部の反転が可能となる。更に、以上の作用から明らかなように、クリップを開閉する操作が至極簡単である。即ち、開く時は中央を、閉じる時は先端を、挟んで押えればよい。このように、本発明により、単純な構成でありながら、強い挟持力と充分な開口寸法を有して、ワンタッチ操作で開閉が行えるクリップが実現する。【００２５】  本発明によるクリップが得る効果を挙げると、次のようになる。
・強い挟持力を得ることができる。（ダブルクリップと同じ程度）
・被挟着物の厚みが変っても一定の挟持力が確保できる。
（コピー用紙１枚から４０枚までを一定の力で挟持できる）
・充分な開口寸法を得ることができる。（６ｍｍ以上）
・嵩張らない外形にすることができる。
・ワンタッチ操作で着脱ができる。
・装着用具を不要とすることができる。
・挟持口の拡開状態が自己保持できる。
・挟持した書類束を複数重ねてもクリップ同士や他の紙の絡みを無くす形状にできる。
・布のような柔らかな物も難なく挟着できる。（前記クリップの中に難しい物もある）
・構成部材を単一にすることができ、組立不要で安価に製造することができる。
このように、前記従来文献において謳ってはいたが、実現し得なかったクリップを提供することができる。
【発明を実施するための最良の形態】
【００２６】  以下、本発明の実施の形態を図１〜図５に基づいて詳細に説明する。【００２７】  図１は本発明の実施の形態の概略の斜視図で、挟持口が挟閉した状態を示し、図２は挟持口が拡開した状態を示す。図３は本発明の実施の形態の平面図で、図４は図３におけるＡ−Ａ線断面図で挟持口が挟閉した状態を示し、図５は図３におけるＡ−Ａ線断面図で挟持口が拡開した状態を示す。【００２８】  図１〜図５に示すように、二枚の対面する挟持板２が連結部３に並設されて、連結部３の対辺である自由端４が挟持口５を形成しており、凸状又は凹状に弾性的反転可能な膨出部６を、両方の挟持板２に配設し、膨出部６が凸状の時に挟持口５は挟閉状態を成し、膨出部６が凹状の時に挟持口５は拡開状態を成し、挟持口５の開閉が、膨出部６の反転操作で行える機能を有した従来技術のクリップ１において、本発明は、このクリップ１の挟持板２、又は、膨出部６に、下記に示す突起部７を設けてある。【００２９】  この突起部７は、膨出部６に比して小曲面をなし、内方に突出し、挟持板２の一部を永久変形で形成し、挟持板２の中央部と自由端４の略中間に設けている。更にこの突起部７同士は、膨出部６の凸状から凹状への反転操作時には、膨出部６の押圧による撓み代となる間隙を形成するように互いに突き当たり、且つ、膨出部６の凹状から凸状への反転操作時には、自由端４の押圧代となる間隙を形成するように互いに突き当たる、と同時に、自由端４から膨出部６の中央部までの間が、梃子の作用をなす支点となるように互いに突き当たる大きさ、及び方向、及び位置に配設してある。【００３０】  そして、図９に示すように、突起部７の形状は、挟持口５に紙等を挿入する時、抵抗を少なくするため、自由端４側の方が中央部側より緩やかな傾斜面を有している。【００３１】  この時、図１７に示すように、挿入する紙等Ｐの厚みＨは、突起部７が有るためこの頂点同士の間隔Ｊに制限されそうであるが、これは杞憂にすぎないことは、次の理由により明らかである。即ち、この図のように膨出部６が凹状の時は、挟持板２を含めクリップ１全体の拡開方向の剛性は低いのである。実測で紙の厚みＨが３．８ｍｍで、頂点同士の間隔Ｊが２ｍｍで実験したところ、紙の厚みＨが頂点同士の間隔Ｊを難なく押し広げ、微かに抵抗があるが紙を難なく奥まで挿入できた。【００３２】  そして、前述の反転による自由端４のストロークを大きく獲得するためと、膨出部６が凸状の時、挟持板２の拡開方向の剛性を高めるため、図１０に示すように、挟持板２は全体が球面状を成し、中央の頂上付近が膨出部６を成すような形状に形成してある。【００３３】  そして、図１〜図３に示すように、膨出部６はブリッジ状をなし連結部３から自由端４に架かるような向きにあり、この膨出部６の両側に長円形の切除部８を設けてある。この切除部８は開閉操作即ち反転操作に要する押圧力の軽減対策である。この形状と大きさを変えることによって、反転操作に要する押圧力を調節できる。また、小さくして数多くしてもよいし、スリット状にしてもよい、この時は膨出部６はカマボコ状となる。【００３４】  そして、図１１に示すように、紙等の被挟持物を安定的に挟持するため、自由端４の両端に角９を設けて挟持力が二点に集中するようにしてある。この二点は可能な限り距離をあけて設けた方がよく、これによって束ねて挟持した書類にずれを生じ難くすることができ、特に回転方向のずれ防止に効果がある。【００３５】  そして、図１２に示すように、連結部３は剛性を高めるため、中央部が徐々に太くなった円筒を縦切断した形状としてある。この連結部３の形状は、前述の挟持板２の球面状とあいまって、クリップ１全体の剛性、特に膨出部６が凸状をなした時、拡開方向の剛性を高める効果を発揮する。連結部３の剛性を高めるにはこれ以外に、連結部３に連続した凸状又は凹状を両方の挟持板２同士を繋ぐように設ける方法があり、また凸状凹状を交互に並べて波状にしてもよい。【００３６】  本発明の実施の形態は以上のような構成で、次に使用方法と伴う動作を図１５〜図１６に基づいて説明する。図１５（ａ）〜（ｄ）は挟閉状態にある挟持口５を拡開させる時の様子を、図１６（ａ）〜（ｄ）は拡開状態にある挟持口５を挟閉させる時の様子を、断面図で夫々の開始から完了までを時系列に示したものである。【００３７】  先ず、拡開させる時の様子を、図１５（ａ）〜（ｄ）に基づいて説明する。【００３８】  図１５（ａ）のように、両方の膨出部６が凸状であるから、反転に必要な撓み代となる間隙Ｋが形成されているため、膨出部６の頂上付近を両側から挟み込むように押圧するといずれか片方が反転する。この時、両方の膨出部６が同時に反転することは稀で、通常はいずれか片方が先に反転する。この段階でのみ、突起部７は不要である。即ち、突起部７が無くても、自由端４同士が互いに突き当たるから間隙Ｋが形成される。【００３９】  図１５（ｂ）のように、片方の膨出部６が凹状で他方が凸状となり、この時、両方の突起部７は互いに突き当たるから、両方の膨出部６の間には間隙Ｋが依然として確保されているため、押圧力の付加続行を可能にし、残りの未反転の膨出部６を反転させることができる。【００４０】  図１５（ｃ）のように、両方の膨出部６の反転完了直後は押圧力の付加が継続しているので、連結部３付近が撓み変形して、突起部７同士が突き当っている。【００４１】  図１５（ｄ）のように、付加していた押圧力を解放すると、クリップ全体は当初設定していた元の形状に復帰して、開口寸法Ｄは広くなる。これで拡開させる操作は完了する。【００４２】  次に、挟閉させる時の様子を、図１６（ａ）〜（ｄ）に基づいて説明する。【００４３】  図１６（ａ）のように、拡開している自由端４を両側から挟み込むように押圧すると、クリップ全体が撓み変形して突起部７同士が突き当たる。この時、場合により、突起部７同士が突き当たる前に、片方の膨出部６が反転して、いきなり図１６（ｃ）のようになることがあるが、問題はない。【００４４】  図１６（ｂ）のように、自由端４の押圧代となる間隙Ｇが形成されているから、自由端４の押圧が続行可能となる、と同時に、自由端４から膨出部６の中央部までの間が、突起部７を支点とした梃子の働きをなし、自由端４を挟み込む内向きの押圧力は、支点となる突起部７を境にして逆の外向きの力になる。従って、内向きに凸状の膨出部６の頂上に、内側から外向きに押圧するような力を与えることができ���ため、膨出部６は凹状から凸状に反転する。この時も、両方の膨出部６が同時に反転することは稀で、通常はいずれか片方が先に反転する。【００４５】  図１６（ｃ）のように、片方の膨出部５が凸状で他方が凹状となっても尚、両方の突起部７は互いに突き当たっているため、自由端４の押圧代となる自由端４同士の間隙Ｇは依然として確保されているから、押圧を続行すると、上述同様、梃子の作用により、残りの未反転の膨出部６を反転させることができる。【００４６】  図１６（ｄ）に示すような形状となって、挟閉させる操作は完了する。【００４７】  もし仮に、突起部７が無かったならば、どのようになるかを、次に説明する。
先ず、拡開させる時について説明すると、図１５（ａ）の段階では、前述したように突起部７が無くても、片方のみの膨出部６の反転には支障は無い。然し、図１５（ｂ）において突起部７が無ければ図１８のようになり、両方の膨出部６は凸状と凹状で反りが合った形になって、自由端４から中央部までが殆んど密着状態となるため、反転に必要な膨出部６の押圧による撓み代となる間隙Ｋを形成することができない。【００４８】  次に、挟閉させる時について説明すると、図１６（ｂ）において、自由端４を押圧した時、突起部７が無ければ図１９のようになり、自由端４同士は密着状態になるから、反転に必要な自由端４の押圧代となる間隙Ｇが形成されない。また、もし突起部７同士が突き当たる前に片方の膨出部６が反転するような場合であっても、突起部７が無ければ図２０のようになり、自由端４同士は密着状態になるため、反転に必要な自由端４の押圧代となる間隙Ｇを形成することができない。
【実施例１】
【００４９】  上記実施形態は、対面する二枚の挟持板２が連結部３に並設されたクリップとしたが、挟持板２を片方の一枚のみとし、他方は台座１０等とした実施例も考えられる。例えば、壁面、又は卓上で使用するメモクリップ等がある。これを図１３に示す。
【実施例２】
【００５０】  上記実施形態は、二枚の挟持板２の両方に膨出部６と突起部７を配設したクリップとしたが、膨出部６は両方で突起部７は片方のみに、又は、膨出部６は片方のみで突起部７は両方に、又は、膨出部６も突起部７も片方の挟持板２のみに配設してもよい。
【実施例３】
【００５１】  上記実施形態および実施例１〜２は金属に限らず、金属以外の材料で形成することもできる。例えば合成樹脂で洗濯バサミ等にすると、従来の半分以下の嵩になり、バネ等の部品と製造時の組立工程が不要になる。この例を図１４に示す。
【図面の簡単な説明】
【００５２】
【図１】本発明の実施形態を示す概略の斜視図
【図２】本発明の実施形態を示す概略の斜視図
【図３】本発明の実施形態を示す平面図
【図４】本発明の実施形態を示す図３におけるＡ−Ａ線断面図
【図５】本発明の実施形態を示す図３におけるＡ−Ａ線断面図
【図６】従来文献の共通概念を示す斜視図
【図７】従来文献の図６におけるＢ−Ｂ線断面図で示す構成及び作用の説明図
【図８】従来文献の構成に被挟持物が挿入された状態の説明図
【図９】本発明の実施形態の突起部の形状を示す図５における詳細説明図
【図１０】本発明の実施形態の挟持板が球面状であることを示す説明図
【図１１】本発明の実施形態の自由端を成す縁辺の形状を示す説明図
【図１２】本発明の実施形態の連結部の形状を示す説明図
【図１３】本発明の他の実施例を示す斜視図
【図１４】本発明の他の実施例を示す斜視図
【図１５】本発明の実施形態を断面で示す時系列動作説明図
【図１６】本発明の実施形態を断面で示す時系列動作説明図
【図１７】本発明の実施形態に被挟持物を挿入しようとする時の説明図
【図１８】従来文献を断面で示した拡開しようとする時の説明図
【図１９】従来文献を断面で示した挟閉しようとする時の説明図
【図２０】従来文献を断面で示した挟閉しようとする時の説明図
【符号の説明】
【００５３】  １：クリップ本体
２：挟持板
３：連結部
４：自由端
４ａ：膨出部が凸状で挟閉時の自由端
４ｂ：対向の自由端が無ければこの位置となる想像上の自由端
４ｃ：膨出部が凹状で拡開時の自由端
５：挟持口
６：膨出部
７：突起部
８：切除部
９：自由端の両端の角
１０：台座
Ｃ：膨出部の高さ
Ｄ：開口寸法
Ｅ：挟持力に相応する自由端の押え代
Ｆ：反転による自由端のストローク
Ｇ：反転に必要な自由端の押圧代となる間隙
Ｈ：被挟持物の厚み
Ｊ：拡開時の突起部同士の間隙
Ｋ：反転に必要な膨出部の撓み代となる間隙
Ｐ：被挟持物
【図１】
2008074081.tif 000003
【図２】
2008074081.tif 000004
【図３】
2008074081.tif 000005
【図４】
2008074081.tif 000006
【図５】
2008074081.tif 000007
【図６】
2008074081.tif 000008
【図７】
2008074081.tif 000009
【図８】
2008074081.tif 000010
【図９】
2008074081.tif 000011
【図１０】
2008074081.tif 000012
【図１１】
2008074081.tif 000013
【図１２】
2008074081.tif 000014
【図１３】
2008074081.tif 000015
【図１４】
2008074081.tif 000016
【図１５】
2008074081.tif 000017
【図１６】
2008074081.tif 000018
【図１７】
2008074081.tif 000019
【図１８】
2008074081.tif 000020
【図１９】
2008074081.tif 000021
【図２０】
2008074081.tif 000022